(57)【要約】【課題】目地の不揃い等に起因するタイル施工面と間仕切りとの全体的な不調和を無くして統一的調和を実現することのできる間仕切りの取付構造を提供する。【解決手段】タイル施工面３Ａ上に取り付けられる間仕切り５の端部５Ａの取付構造であって、タイル施工面３Ａにタイル２と同一大きさの幅を有するＣ型の枠材４を配設し、間仕切り５の端部５Ａを前記枠材４の凹部に嵌合装着している。Ｃ型枠材４の幅寸法と、タイル寸法とを同じ大きさにしたため、間仕切り壁５がタイル施工面３Ａのタイル一個分の寸法の中に納まることになり、目地ズレが発生することがなく、室内全体の統一的な調和を図ることが可能である。【選択図】  図１
2005105662.tif 000002
【特許請求の範囲】
【請求項１】
タイル施工面に取り付けられる間仕切りの端部の取付構造であって、タイル施工面にタイルと同一大きさの幅を有するＣ型の枠材を配設し、間仕切りの端部を前記枠材の凹部に嵌合装着したことを特徴とする間仕切りの取付構造。
【請求項２】
出隅構造を有するタイル施工面に取り付けられる間仕切りの端部の取付構造であって、出隅に位置するタイルに隣接してＣ型の枠材を配設し、間仕切りの端部を前記枠材の凹部に嵌合装着して成り、前記Ｃ型の枠材の幅がタイル厚みと目地幅の厚みの合計寸法に設定されていることを特徴とする間仕切りの取付構造。
【請求項３】
タイル施工面に取り付けられる間仕切りの端部の取付構造であって、タイルの目地空間に間仕切りの端部を設置したことを特徴とする間仕切りの取付構造。
【請求項４】
タイル施工面に取り付けられる間仕切りの端部の取付構造であって、タイルの目地空間にＣ型の枠材をタイル施工面を構築する層に埋設し、間仕切りの端部を前記枠材の凹部に嵌合装着したことを特徴とする間仕切りの取付構造。
【発明の詳細な説明】
【技術分野】
【０００１】
本発明は、タイル施工面に強化ガラス板や合成樹脂板、金属板等の間仕切りを設ける場合の間仕切りの端部の取付構造に関するものである。
【背景技術】
【０００２】
建物躯体の室に、間仕切りを設ける技術としては、特許文献１〜３に記載されたものが公知である。特許文献１に記載された技術は、床面に合成樹脂製のパネル支持部材を取り付け、天井にアルミ、ステンレス製の頂部カバーを取り付けている。これらの床面と天井に取り付けられた上下の部材は断面Ｕ字状の凹部を有し、該凹部に間仕切りとしてのパネルが嵌合装着されている。
【０００３】
また、特許文献２に記載された技術にあっては、床基板と天井板とにそれぞれ弾性材を介して下枠材と上枠材とを取り付け、これらの上下の枠材の両側面に間仕切り壁材を取り付けている。弾性材を介在させることにより、間仕切り壁による重量床衝撃音を低減させるようにしている。
【０００４】
一方、特許文献３に記載された技術にあっては、床パンに上面が平らな台状に突出形成した基台を設け、該基台と天井に金具を固定し、該金具に間仕切り壁（袖壁パネル）のフレームをビス固定している。袖壁パネルの側面パネルへの取り付けは、パネル固定金具の係止片で袖壁パネルのフレームを係止した状態で当該パネル固定金具を側面パネルへ固定している。
【特許文献１】特開２００１ー３４８９７８号公報
【特許文献２】特開２００２ー１３８５９７号公報
【特許文献３】特開平９ー２２８５２６号公報
【発明の開示】
【発明が解決しようとする課題】
【０００５】
而して、これらの技術をタイル施工面を有する壁面へ適用しようとすると、特許文献１の場合にあっては、タイルとの取付関係についての記載がないため、タイルを貼着した後のタイルの上にパネル支持部材を取り付けて間仕切りパネルを構築するか、タイルの貼着されていない床面にパネル支持部材を取り付けて間仕切りパネルを構築し、パネル支持部材の端縁からタイルを床面に貼着するようにしなければならない。タイルの上に間仕切りパネルを取り付けるためのパネル支持部材を取り付ける場合は、パネル支持部材が露出してしまい、意匠上の不具合を有するという欠点や、タイル自体に間仕切りパネルの荷重が直接加わり、タイルが損壊してしまう等の欠点があった。またタイルの貼着されていない床面にパネル支持部材を取り付けて間仕切りパネルを構築する場合は、タイル施工面のタイル寸法とパネル支持部材との寸法関係が異なることがあり、目地が通った状態にするためにパネル支持部材接合部のタイルを特別な寸法にするために切断加工を要する等の手間がかかることや、部分的に特別な寸法のタイルが入ることによりタイル形状が不揃いになる等、目地の不揃い等に起因する全体的な調和が図れないという欠点があった。
【０００６】
また特許文献２の技術にあっては、タイルの貼着されていない床面に弾性材を介して下枠材と上枠材とを取り付け、これらの上下の枠材の両側面に間仕切り壁材を取り付けている。従って、タイルの貼着はこれらの枠材の端縁部分から開始する必要があり、タイル施工面のタイル寸法と上下枠材の寸法関係が異なる場合は、目地の不揃い等に起因する全体的な調和が図れないという欠点があった。
【０００７】
更に、特許文献３の場合は、床パンに上面が平らな台状に突出形成した基台を設け、該基台と天井に金具を固定し、該金具に間仕切り壁（袖壁パネル）のフレームをビス固定して袖壁パネルを取り付けている。従って、この特許文献３の場合も、基台とタイルとの寸法関係が異なる場合があり、目地の不揃い等に起因する全体的な調和が図れないという欠点があった。
【０００８】
本発明は従来の前記課題に鑑みてこれを改良除去したものであって、目地の不揃い等に起因するタイル施工面と間仕切りとの全体的な不調和を無くして統一的調和を実現することのできる間仕切りの取付構造を提供せんとするものである。
【課題を解決するための手段】
【０００９】
而して、前記課題を解決するために本発明が採用した請求項１の手段は、タイル施工面に取り付けられる間仕切りの端部の取付構造であって、タイル施工面にタイルと同一大きさの幅を有するＣ型の枠材を配設し、間仕切りの端部を前記枠材の凹部に嵌合装着したことを特徴とする間仕切りの取付構造である。
【００１０】
また本発明が採用した請求項２の手段は、出隅構造を有するタイル施工面に取り付けられる間仕切りの端部の取付構造であって、出隅に位置するタイルに隣接してＣ型の枠材を配設し、間仕切りの端部を前記枠材の凹部に嵌合装着して成り、前記Ｃ型の枠材の幅がタイル厚みと目地幅の厚みの合計寸法に設定されていることを特徴とする間仕切りの取付構造である。
【００１１】
更に、本発明が採用した請求項３の手段は、タイル施工面に取り付けられる間仕切りの端部の取付構造であって、タイルの目地空間に間仕切りの端部を設置したことを特徴とする間仕切りの取付構造である。
【００１２】
更にまた、本発明が採用した請求項４の手段は、タイル施工面に取り付けられる間仕切りの端部の取付構造であって、タイルの目地空間にＣ型の枠材をタイル施工面を構築する層に埋設し、間仕切りの端部を前記枠材の凹部に嵌合装着したことを特徴とする間仕切りの取付構造である。
【発明の効果】
【００１３】
請求項１の発明にあっては、Ｃ型枠材の幅寸法と、タイル寸法とを同じ大きさにしたため、間仕切り壁がタイル施工面のタイル一個分の寸法の中に納まることになり、特別な寸法のタイルを切断加工する等の手間が省けるだけでなく、目地ズレが発生することがなく、室内全体の統一的な調和を図ることが可能である。
【００１４】
請求項２の発明にあっては、出隅構造のタイル施工面において、Ｃ型の枠材を出隅に位置するタイルに隣接して設置した場合であっても、同一の大きさのタイルを用いて目地揃えが可能となり、特別な寸法のタイルを切断加工する等の手間を省けるだけでなく、タイル施工面と間仕切りとの全体的な調和を実現することが可能である。
【００１５】
請求項３の発明にあっては、タイルの目地空間に間仕切りの端部を設置している。間仕切りの端部は、タイルどうしの間に挟持された状態で接着固定されることになり、端部の位置ズレが発生しなくなる。また間仕切りの端部がタイルどうしの間に隠れることになり、意匠上の見栄えがよいという利点もある。
【００１６】
請求項４の発明にあっては、請求項３の発明のＣ型の枠材を、タイル施工面を構築する層に埋設するようにしたものであり、これにより請求項３の発明の効果に加えて、Ｃ型の枠材の取付強度を向上させることが可能である。従って、間仕切りに外力が作用したとしても容易にズレないように強固に取り付けることが可能である。
【発明を実施するための最良の形態】
【００１７】
以下に、本発明の構成を図面に示す発明の実施の形態に基づいて説明すると次の通りである。図１は本発明の第１の実施の形態に係る浴室の一部を示す斜視図である。同図に示す如く、この実施の形態にあっては、埋め込み型の浴槽１の周囲にタイル２を貼着したタイル施工面３を有している。この発明では、上面側のタイル施工面３Ａ側にＣ型の枠材４を介して間仕切りとしての透明な強化ガラス板５を取り付けている。Ｃ型の枠材４は、上面側が開口した断面コ字状のステンレス等からなる鋼材であり、その横幅はタイル２の一枚分の大きさと同じである。またＣ型の枠材４は、上面側タイル施工面３Ａのうち、右側面側のタイル施工面３Ｂから二列目に同施工面３Ｂと平行に配設されており、底部は上面側のタイル施工面３Ａを構築する層へその一部が埋設されている。従って、Ｃ型枠材４の隣位に配設される左側面側のタイル施工面３Ｃのタイル６は、前記埋設する分だけ図１における上下方向の寸法が短くなるように設定されている。
【００１８】
間仕切りとしての透明な強化ガラス板５は、その下端面５Ａがクロロプレンゴム等からなるセッティング材７Ａを介して前記Ｃ型枠材４の凹部内へ嵌合装着されており、その両側面には発泡ポリエチレン、クロロプレンゴム等からなるバックアップ材とシリコーンなどからなるシーリング材７Ｂが装着されている。バックアップ材はガラス板５の左右への移動を拘束して安定させ、シーリング材は表面側に位置して水密性の保持等を目的としている。またこのようなタイル施工面に対する取付構造は、浴室の側壁面と間仕切りとしての強化ガラス板５との間においても、同様に構成することが可能である。なお、天井と強化ガラス板５との取付関係は、天井又は天井下地へＣ型の枠材４を取り付けて強化ガラス板５の上端側を嵌合装着するようにすればよい。
【００１９】
このように構成された間仕切りとしての強化ガラス板５の端部の取付構造にあっては、Ｃ型枠材４の横幅寸法がタイル２の一枚分の大きさと同じであり、目地８の割り付け寸法は均一である。そのため、タイル施工面３の全体の目地が均一間隔ごとに配設された整然としたものとなり、特別な寸法のタイルを切断加工する等の手間が省けるだけでなく、目地ズレ等も発生することがなく、又タイルの大きさが同一に揃い、タイル施工面全体の統一的な調和を実現することが可能である。またＣ型枠材４は、タイル施工面３を構築する層へその一部が埋設されているので、Ｃ型枠材４自体の取付強度が向上し、ガラス板５に外力が作用した場合であっても十分にこれに対処することが可能である。
【００２０】
図２は本発明を出隅９へ適用した第２の実施の形態に係るタイル施工面１０と間仕切りとしての透明なガラス板５との関係を示すものであり、図（Ａ）は部分斜視図、図（Ｂ）は側面図である。同図に示す如く、この実施の形態にあっては、タイルの大きさは全て同一の大きさのものを使用している。タイルの種類は、平タイル１１と、片面取タイル１２と、両面取タイル１３との三種類である。出隅９を構成するタイル施工面１０の上面側における隅角部には、両面取タイル１３を配設している。また上面側のタイル施工面１０Ａのうち、右側面側のタイル施工面１０Ｂ及び左側面側のタイル施工面１０Ｃとで出隅を形成する端縁側にはそれぞれ片面取タイル１２が配設されている。更に、左側面側のタイル施工面１０Ｃのうち、右側面側のタイル施工面１０Ｂとで出隅を形成する端縁側には辺面取タイル１２が配設されている。そして、これ以外の部分には平タイル１１が貼着されている。
【００２１】
而して、この実施の形態にいては、上面側のタイル施工面１０Ａ側にＣ型の枠材１４を介して間仕切りとしての透明な強化ガラス板５を取り付けている。Ｃ型の枠材１４は、上面側が開口した断面コ字状のステンレス等からなる鋼材である。このＣ型枠材１４の横幅は、図２の図（Ｂ）に示すように、タイル１２の一枚分の厚みと目地幅とを足した寸法Ｔと同じである。またＣ型の枠材１４は、上面側タイル施工面１０Ａのうち、左側面側のタイル施工面１０Ｃから二列目に同施工面１０Ｃと平行に配設されている。間仕切りとしての透明な強化ガラス板５は、その下端面５Ａがクロロプレンゴム等からなるセッティング材７Ａを介して前記Ｃ型枠材４の凹部内へ嵌合装着されており、その両側面には発泡ポリエチレン、クロロプレンゴム等からなるバックアップ材とシリコーンなどからなるシーリング材７Ｂが装着されている。バックアップ材はガラス板５の左右への移動を拘束して安定させ、シーリング材は表面側に位置して水密性の保持等を目的としている。
【００２２】
上述した如く、Ｃ型枠材１４の横幅寸法を、タイル１２の一枚分の厚みと目地幅とを足した寸法Ｔと同じ寸法とすることにより、右側面側のタイル施工面１０Ｂに配設されるタイルのうち、左側面側のタイル施工面１０Ｃとの出隅部に配設されるタイルの寸法を通常の平タイル１２と同じ寸法のものを用いることができ、特別な大きさのタイルを切断加工する等して準備する手間をかける必要がない。即ち、上面側のタイル施工面１０Ａに枠材１４を介して間仕切りとしての透明な強化ガラス板５を設置した場合であっても、同一の大きさのタイルを用いることができ、タイルの割り付け作業が極めて容易である。また全てのタイル施工面の目地が揃っており、目地ズレが発生するようなことはなく、タイルも同一の大きさとなり、タイル施工面全体の統一的な調和を実現することが可能である。
【００２３】
図３は、本発明の第３の実施の形態に係るものである。この実施の形態では、タイル２どうしの間に形成される目地空間１５へＣ型の枠材１６を配設し、該Ｃ型の枠材１６へ間仕切りとしての透明な強化ガラス板５の端部を嵌合装着している。Ｃ型の枠材１６が配設される目地空間１５は、Ｃ型の枠材１６が配設されない他の目地空間１５と同一の大きさ（目地幅）を有している。またＣ型の枠材１６は、上面側が開口した断面コ字状のステンレス等からなる鋼材である。強化ガラス板５のＣ型枠材１６への装着は、直接行ってもよく、前記第１及び第２の実施の形態と同じようにセッティング材７Ａ及び発泡ポリエチレン、クロロプレンゴム等からなるバックアップ材とシリコーンなどからなるシーリング材７Ｂを介して行うようにしてもよい。
【００２４】
このように同一の大きさを有する目地空間１５の一つへＣ型の枠材１６を配設してこれに間仕切りとしての透明な強化ガラス板５の端部を嵌合装着することにより、Ｃ型の枠材１６及び強化ガラス板５の端部はタイルどうしの間に挟持された状態で接着固定されることになり、端部の位置ズレが発生することはない。またＣ型の枠材１６及び間仕切りの端部がタイルどうしの間に隠れることになり、意匠上の見栄えがよいという利点もある。
なお、この実施の形態においては、Ｃ型の枠材１６を省略し、間仕切りとしての強化ガラス板５を直接に、タイルどうしの間の目地空間１５内へ設置することも可能である。この場合も、上述と同様の作用効果を得ることが可能である。
【００２５】
図４は、本発明の第４の実施の形態に係るものである。この実施の形態では、図３の場合と同じように、タイル２どうしの間に形成される同一の大きさを有する目地空間１５の一つへＣ型の枠材１７を配設し、該枠材１７の底部側をタイル施工面を構築する層（例えば、モルタル層）１８の内部へ埋設している。そして、Ｃ型の枠材１７へ間仕切りとしての透明な強化ガラス板５の端部を嵌合装着している。ガラス板５の嵌合装着は、前記第１及び第２の実施の形態と同じように、セッティング材７Ａ及びバックアップ材，シーリング材７Ｂを介して行っている。
【００２６】
このように同一の大きさを有する目地空間１５の一つへＣ型の枠材１７を配設してこれに間仕切りとしての透明な強化ガラス板５の端部を嵌合装着することにより、間仕切りを設けた場合であっても特別な寸法のタイルを切断する等の手間が省けるだけでなく、目地ズレが発生することもなく、室内全体のタイル施工面における統一的な調和を実現することが可能である。またＣ型の枠材１７は、タイル施工面を構築する層１８へその一部が埋設されているので、Ｃ型の枠材１７自体の取付強度が向上し、ガラス板５に外力が作用した場合であっても十分にこれに対処することが可能である。更に、Ｃ型の枠材の呑み込み代が前記第３の実施の形態の場合よりも増やすことができ、セッティング材７Ａの厚さを変えることで強化ガラス５の寸法調整できる幅を増やすことができるという利点もある。
【図面の簡単な説明】
【００２７】
【図１】本発明の第１の実施の形態に係るタイル施工面の間仕切りを示す斜視図である。
【図２】本発明の第２の実施の形態に係るタイル施工面の間仕切りを示すものであって、図（Ａ）は斜視図、図（Ｂ）は側面図である。
【図３】本発明の第３の実施の形態に係るタイル施工面の間仕切りを示す縦断面図である。
【図４】本発明の第４の実施の形態に係るタイル施工面の間仕切りを示す縦断面図である。
【符号の説明】
【００２８】
１…浴槽、２…タイル、３…タイル施工面、３Ａ…上面側のタイル施工面、３Ｂ…右側  面側のタイル施工面、３Ｃ…左側面側のタイル施工面、４…Ｃ型の枠材、５…間仕切り  （透明な強化ガラス板）、７Ａ…セッティング材、７Ｂ…緩衝材、８…目地、９…出隅  、１０…タイル施工面、１０Ａ…上面側のタイル施工面、１０Ｂ…右側面側のタイル施  工面、１０Ｃ…左側面側のタイル施工面、１１…平タイル、１２…片面取タイル、１３  …両面取タイル、１４…Ｃ型の枠材、１５…目地空間、１６…Ｃ型の枠材、１７…Ｃ型  の枠材、１８…タイル施工面を構築する層
【図１】
2005105662.tif 000003
【図２】
2005105662.tif 000004
【図３】
2005105662.tif 000005
【図４】
2005105662.tif 000006